(57)【要約】【課題】静止画のための情報を貯蔵する記録媒体と記録及び/または再生方法と該装置を提供する。【解決手段】記録及び再記録できる記録媒体において、複数枚の静止画データをグループ化してこれを管理する静止画グループ情報と、静止化が記録された後付加される付加オーディオデータをグループ化してこれを管理するオーディオグループ情報を貯蔵する。これにより、大容量の静止画及びこれに付加される付加オーディオデータを最小限の管理情報を用いて記録し、再生する時は各々の静止化単位で表示及び編集でき、オーディオデータのアフターレコーディングに対応できる。【選択図】図６
2006012415.tif 000002
【特許請求の範囲】
【請求項１】
第１領域内の静止画と、第２領域内の静止画のいくつかに対応する付加オーディオデータと、静止画と対応する付加オーディオデータとの連結関係を示す連結情報と、静止画と対応する付加オーディオデータとの再生順序に関する再生情報とを有する記録媒体から静止画を再生する装置において、
第３領域内の連結情報に基づいて、第１領域内の静止画及び前記静止画に対応する付加オーディオデータのうちの希望の一つを再生するプレイバック処理器と、
希望の静止画及び対応する付加オーディオデータを信号処理する再生処理器と
を有することを特徴とする装置。
【請求項２】
第３領域内の連結情報は、複数の静止画をグループに分けるための静止画グループ情報と、付加オーディオデータをグループに分けるための付加オーディオグループ情報とを含み、
前記プレイバック処理器は、
希望の静止画を含む第３領域の静止画グループ情報内の静止画グループのうちの一つの開始位置と、前記一つの静止画グループ内の希望の静止画に先行するデータのサイズとを合計することによって決定される第１の位置にある希望の静止画と、
付加オーディオグループ情報内の付加オーディオグループのうちの一つの開始位置と、対応する付加オーディオデータに先行するデータのサイズとを合計することによって決定される第２の位置にある対応する付加オーディオデータと
を再生する
ことを特徴とする請求項１に記載の装置。
【請求項３】
前記記録媒体は、静止画のいくつかの後に続けて記録される元オーディオデータをさらに有し、前記プレイバック処理器は、希望の静止画及び対応する元オーディオデータを再生する
ことを特徴とする請求項１に記載の装置。
【請求項４】
前記プレイバック処理器は、
希望の静止画を含む第３領域の静止画グループ情報内の静止画グループのうちの一つの開始位置と、希望の静止画に先行するデータのサイズとを合計することによって決定される第１の位置にある希望の静止画と、
希望の静止画の位置と、希望の静止画のビデオパートのサイズとを合計することによって決定される第２の位置にある元オーディオデータと
を再生する
ことを特徴とする請求項３に記載の装置。
【請求項５】
複数の静止画、複数の静止画をいくつかのグループに分けるための静止画グループ情報、第２領域内の静止画のいくつかに対応する付加オーディオデータ、複数の静止画をいくつかのグループに分けるための付加オーディオグループ情報、静止画と対応する付加オーディオデータとの連結関係を示す連結情報、静止画の再生順序に関する再生情報を有する記録媒体から静止画を再生する装置において、
再生情報に応じた静止画グループ情報と、連結情報に応じた付加オーディオグループ情報とを読出す光学ピックアップと、
読出された静止画グループ情報に応じて、静止画の希望の一つの第１の位置を計算し、計算された第１の位置にある静止画を再生し、かつ、読出された付加オーディオグループ情報に応じて、希望の静止画に対応する付加オーディオデータの第２の位置を計算し、計算された第２の位置にある付加オーディオデータを再生する再生器と
を有することを特徴とする装置。
【請求項６】
前記記録媒体は、静止画のうちの対応するものの後に続けて記録される元オーディオデータをさらに有し、前記再生器は、読出された静止画グループ情報に応じて、希望の静止画に対応する元オーディオデータの第３の位置を計算し、計算された第３の位置にある元オーディオデータを再生する
ことを特徴とする請求項５に記載の装置。
【請求項７】
前記再生器は、
希望の静止画を含む読出された静止画グループ情報内の静止画グループのうちの一つの開始位置と、希望の静止画に先行するデータのサイズとを合計することによって希望の静止画の第１の位置を計算し、
かつ、計算された希望の静止画の第１の位置と、静止画のビデオパートのサイズとを合計することによって元オーディオデータの第２の位置を計算する
ことを特徴とする請求項６に記載の装置。
【請求項８】
前記再生情報は、再生しようとする静止画のグループを示すセル情報と、静止画の再生順序とを含み、前記光学ピックアップは、セル情報を読出し、前記再生器は、再生しようとする静止画の読出し及び復号化の後で、セル情報に応じて、静止画のうちの別の一つを再生すべきか否かを判断する
ことを特徴とする請求項６に記載の装置。
【請求項９】
記録媒体上の静止画を再生する装置において、前記記録媒体は、複数の静止画を静止画グループに分けるための静止画グループ情報と、静止画のいくつかに対応しかつ前記静止画とは別の領域に貯蔵される付加オーディオデータと、前記付加オーディオデータを付加オーディオグループに分けるための付加オーディオグループ情報と、前記静止画の再生を示すためのセル情報とを含み、
光学ピックアップと、
再生処理器と
を有し、
前記光学ピックアップは、静止画のうちの一つのためのセル情報を読出し、読出されたセル情報に基づいて、一つの静止画の静止画グループ情報を読出し、読出された静止画グループ情報に基づいて、一つの静止画を読出し、
前記再生処理器は、記録媒体上に対応する一つの静止画のための付加オーディオデータが存在するかどうかを判断し、
前記光学ピックアップは、一つの静止画に対応する付加オーディオデータの付加オーディオグループの開始アドレスを決める付加オーディオグループ情報を読出し、読出された付加オーディオグループ情報に基づいて、一つの静止画に対応する付加オーディオデータを読出す
ことを特徴とする装置。
【請求項１０】
前記記録媒体は、静止画のいくつかに続けて貯蔵された元オーディオデータを含み、
前記再生処理器は、一つの静止画のための付加オーディオデータが存在しないという決定がなされた場合にのみ、前記元オーディオデータを一つの静止画の後に続けて付加するかどうかを判断し、
前記光学ピックアップは、オーディオデータを一つの静止画の後に続けて付加するという決定がなされたら、一つの静止画に対応する元オーディオデータを読出す
ことを特徴とする請求項９に記載の装置。
【請求項１１】
記録媒体上の静止画を再生する装置において、前記記録媒体は、複数の静止画を静止画グループに分けるための静止画グループ情報と、前記静止画グループの開始アドレスと、対応する静止画グループ内の静止画のサイズと、静止画のいくつかに対応しかつ前記静止画とは別の領域に貯蔵される付加オーディオデータと、前記付加オーディオデータを付加オーディオグループに分けるための付加オーディオグループ情報と、前記付加オーディオグループの開始アドレスと、対応する付加オーディオグループ内の付加オーディオデータのサイズと、前記静止画の再生を示すためのセル情報とを含み、
光学ピックアップと、
再生処理器と
を有し、
前記光学ピックアップは、静止画のうちの一つのためのセル情報を読出し、対応する一つの静止画の静止画グループの開始アドレスを決めるための静止画グループ情報を読出し、
前記再生処理器は、対応する静止画グループ内の前記一つの静止画より前の全ての静止画の第１のサイズを決定し、
前記光学ピックアップは、静止画グループの開始アドレスと、前記第１のサイズの合計とに基づいて、一つの静止画を読出し、
前記再生処理器は、記録媒体上に対応する一つの静止画のための付加オーディオデータが存在するかどうかを判断し、
前記光学ピックアップは、一つの静止画に対応する付加オーディオデータの付加オーディオグループの開始アドレスを決める付加オーディオグループ情報を読出し、
前記再生処理器は、対応する付加オーディオグループ内の前記一つの静止画に対応する付加オーディオデータより前の全ての付加オーディオデータの第２のサイズを決定し、
前記光学ピックアップは、付加オーディオグループの開始アドレスと、前記第２のサイズの合計とに基づいて、一つの静止画に対応する付加オーディオデータを読出す
ことを特徴とする装置。
【請求項１２】
前記記録媒体は、静止画のいくつかに続けて貯蔵された元オーディオデータを含み、
前記再生処理器は、一つの静止画のための付加オーディオデータが存在しないという決定がなされた場合にのみ、前記元オーディオデータを一つの静止画の後に続けて付加するかどうかを判断し、
前記光学ピックアップは、オーディオデータを一つの静止画の後に続けて付加するという決定がなされたら、一つの静止画に対応する元オーディオデータを読出す
ことを特徴とする請求項１１に記載の装置。
【発明の詳細な説明】
【技術分野】
【０００１】
本発明は、再記録できる記録媒体を用いてオーディオ及び/またはビデオ（A/V）データを記録及び/または再生する分野に係り、特に静止画及びこれに付加される付加オーディオデータを効率的に処理するための情報の記録及び/または再生装置に関する。
【背景技術】
【０００２】
図１は記録及び再記録できる記録媒体、特に、DVD（Digital Versatile Disc）上にA/Vデータを記録再生することにおいて、特に動映像における各情報と動映像データの連結構造を示す。即ち、データを論理的に扱うためのPGC（ProgramChain）情報１１、VOB（Video Object）情報よりなっている動映像情報１２、実際に圧縮されたA/VデータがVOB単位で記録されている動映像データファイル１３との関係を示す。
【０００３】
用語をまず説明すれば次の通りである。映画を上、下編に分けて録画したとすれば、映画全体はPGCになり、上編、下編は各々プログラムといえる。また、各々のプログラムを再びいくつかの小さな単位のセルに分離して定義でき、各々のセル情報は一定分量の実際動映像データファイルを示す一つのVOB全体を指定する場合もあり、VOBの一部を指定する場合もある。この場合、各々のセルは再生時アクセスの基本単位として用いられ、プログラムとPGCは結局複数のセルの連結に関する情報にすぎない。
【０００４】
また、実際のデータは動映像データファイル上にVOBU（Video Object Unit）という単位に細分化して記録されているので、VOB情報はこのVOBUデータのための情報（VOBU#１、VOBU#２、...）よりなり、このVOB情報により動映像データファイル上のVOBデータを指定する。ここで、VOBデータはディスク記録再生装置のランダムアクセスの単位として用いられ、VOBUはMPEG（Moving Picture ExpertsGroup）ビデオデータの場合、一つのGOP（Group of Picture）を基準とし、オーディオデータは対応されるビデオデータと共に、即ち、A/Vデータをセクター単位で多重化してVOBUを構成する。
【０００５】
図１に示したようなデータ構造は動画に係り、実際のデータの構成単位は一定時間の動映像データであるVOBであり、A/V信号の同期や符号化方法などが全てVOB単位でなされる。しかし、静止画の場合は、構成単位が一枚の静止画であるので一枚の静止画が一つのVOBを構成する。ところが、セル構造において一つのVOBを指定させれば、静止画ごとにセルが必要な構造になる。こうなると、記録される静止画が多くなるほど付加される情報が急に多くなる問題点があった。
【０００６】
また、一般に記録できるディスクには、所定回数以上を記録すればデータにエラーが発生する恐れがあるので記録できる回数の制限があるが、このような回数の制限と迅速なデータのアクセスのために全ての情報データはシステムを制御するコントローラのメモリに貯蔵しておいて用いるが、前述したように静止画の場合、情報の量が大きくなれば全ての情報データを読むにも時間がたくさんかかり、一定サイズのメモリに全ての情報を貯蔵することもできず、従って大容量の静止画が記録できなくなる問題点があった。
【発明の開示】
【発明が解決しようとする課題】
【０００７】
前記問題点を解決するために、本発明の目的は、大容量の静止画に対する効率的な情報を貯蔵するために大容量の静止画を複数にグループ化してこれを管理する静止画グループ情報を貯蔵する記録媒体を提供することにある。本発明の他の目的は、静止画のためのビデオ情報、または元オーディオデータが付加された静止画のためのビデオ情報及びオーディオ情報よりなっている静止画グループ情報を記録ビットストリームの記録順に貯蔵する記録媒体を提供することにある。
【０００８】
本発明のさらに他の目的は、静止画データに付加される付加オーディオデータを記録し、これをグループ化して管理する付加オーディオグループ情報を貯蔵する記録媒体を提供することにある。本発明のさらに他の目的は、大容量の静止画を複数個にグループ化して管理する静止画グループ情報と再生に関したセル情報を記録し、これらの情報に従って静止画を再生する方法を提供することにある。
【０００９】
本発明のさらに他の目的は、静止画のためのビデオ情報、または元オーディオデータが付加された静止画のためのビデオ情報及びオーディオ情報よりなっている静止画グループ情報と再生に関したセル情報とを記録し、これらの情報に従って静止画または元オーディオデータが付加された静止画を再生する方法を提供することにある。本発明のさらに他の目的は、静止画グループ情報、アフターレコーディングのための付加オーディオグループ情報と再生に関したセル情報とを記録し、これらの情報に従って静止画、静止画と元オーディオデータまたは静止画と付加オーディオデータを再生する方法を提供することにある。
【００１０】
本発明のさらに他の目的は、大容量の静止画を複数個にグループ化して管理する静止画グループ情報、静止画グループ情報とは別のアフターレコーディングのための付加オーディオグループ情報及び再生に関したセル情報を記録し、この情報に従って静止画、静止画と元オーディオデータまたは静止画と付加オーディオデータを再生する装置を提供することにある。
【課題を解決するための手段】
【００１１】
上記の目的を達成するために、本発明に係る記録媒体は、複数の静止画データを有する第１領域、静止画データに付加される複数の付加オーディオデータを有する第２領域及び、第１領域における静止画データと第２領域における付加オーディオデータとの連結関係を示す情報を有する第３領域を有することを特徴とする。
【００１２】
本発明に係る方法は、記録及び再記録できる記録媒体上にオーディオ及び/またはビデオデータを記録及び/または再生する方法において、入力される複数の静止画データを記録する段階、複数の静止画を所定の最大個数以内でグループ化し、このための静止画グループ情報と再生に関した再生情報とを記録する段階、複数の静止画が記録された後希望の静止画に付加される付加オーディオデータを別の領域に記録する段階及び、付加オーディオデータを所定の最大個数以内にグループ化して管理するための付加オーディオグループ情報と、前記希望の静止画に対応する付加オーディオデータを示す情報とを記録するが、前記付加オーディオデータを示す情報は前記静止画グループ情報に含めて記録する段階を含むことを特徴とする。
【００１３】
また、本発明に係る方法は、再生情報に従って再生しようとする静止画グループ情報を読出す段階、読出された静止画グループ情報に従って希望の静止画位置を計算し、計算された位置の静止画データを再生する段階及び、読出された静止画グループ情報に付加オーディオグループを示す情報が存在すれば、付加オーディオグループ情報に従って該当静止画の付加オーディオデータの位置を計算して付加オーディオデータを再生する段階とをさらに含むことを特徴とする。
【００１４】
本発明に係る再生方法は、複数の静止画データを有する第１領域、静止画データに当る複数の付加オーディオデータを有する第２領域及び、第１領域における静止画データと第２領域における付加オーディオデータとの連結関係を示す情報を有する第３領域を含む記録媒体の再生方法において、第３領域における前記情報に基づいて、第１領域における静止画データとこの静止画データに付加された付加オーディオデータとを再生する段階を含むことを特徴とする。
【００１５】
本発明に係る装置は、記録及び再記録できる記録媒体上にオーディオ及び/またはビデオデータを記録及び/または再生する装置において、複数の静止画データを記録媒体上の第１領域に、静止画データに対応する複数の付加オーディオデータを第２領域に記録されるように信号処理する記録処理器及び、第１領域における静止画データと第２領域における付加オーディオデータとの連結関係を示す情報と、再生順序に関する再生情報とを発生して第３領域に記録されるように制御するコントローラとを含むことを特徴とする。
【００１６】
また、本発明の装置は、第３領域における情報に基づいて、第１領域における静止画データと、この静止画データに付加された付加オーディオデータが再生されるように信号処理する再生処理器をさらに含むことを特徴とする。
【発明の効果】
【００１７】
本発明は、最小限の情報データを用いて大容量の静止画及びこれに付加される元オーディオデータだけでなく、付加オーディオデータを記録し、再生する時は各々の静止化単位で表示及び編集できる効果があり、付加オーディオデータを用いてオーディオデータのアフターレコーディングに対応できる。また、本発明は記録されるビットストリームの順序で静止画情報のビデオマップ及び/またはオーディオマップ情報を構成することによって効率的な情報管理ができる効果がある。
【発明を実施するための最良の形態】
【００１８】
以下、添付した図面を参照して本発明に係る静止画のための情報を貯蔵する記録媒体及び記録及び/または再生方法と該装置の望ましい実施例を説明する。図２は本発明に係る全体情報構造の構成例であって、PGC情報、動映像情報、静止画情報よりなされうる情報データは、一つの情報ファイルまたは情報領域に記録されうる。
【００１９】
ここで、PGC一般情報にはPGC内のプログラム数の情報が入っている。プログラム一般情報にはプログラム内のセル数の情報が入っている。セル情報は、動映像の場合には図１に示したように一つのVOBを指定するようになっているし、静止画の場合には図３に示したように一つのVOBでない静止画VOBグループ（静止画グループと略称する）を指定するようになっている。動映像情報に対しては既に図１で説明したのでここでは省略し、本発明に係る静止画情報を中心として説明する。静止画情報の静止画一般情報には静止画グループ情報の個数が入っているし、静止画付加オーディオデータの一般情報には静止画付加オーディオグループ情報の個数が入っている。
【００２０】
図３は静止映像における各情報と静止画データの連結構造を示す。即ち、データファイル上に一枚の静止画がVOB単位で記録されている場合は、複数の静止画VOBを集めて静止画グループとして管理し、PGC情報２１内のセル情報は一つのVOBでない静止画グループ情報２２を指定する。また、静止画にオーディオデータを付加して記録でき、静止画を記録することに連続してオーディオデータを記録することによって再生時再生ヘッドのサーチ時間を縮めうる。このように静止画と共に記録されたオーディオデータを元オーディオデータといい、元オーディオデータは静止画グループに含まれる。本発明で静止画というのは、単純にビデオパートのみある静止画と、元オーディオデータパートがビデオパートと共に共存する静止画とを全て示す。
【００２１】
このように静止画をグループ化して管理することによって得る長所は、前述したセル情報の個数が減少すること以外に静止画情報も減少することである。例えば、静止画グループ内のビデオ符号化属性や元オーディオ符号化属性を同一にして静止画グループの一般情報にして共通情報として貯蔵する。また、各静止画ごとに静止画データファイルにおける位置を示すべきであるが、グループとしない場合は各々の静止画開始位置を示すべきであるが、グループとする場合には静止画グループの一般情報に該静止画グループがファイル内で記録される開始位置を貯蔵し、各静止画のための情報としては各々のサイズだけを記録すればよい。一般に静止画データのサイズを示すための情報量（即ち、バイト数）がファイル内の位置を示すための情報量より少ないので全体情報量を減らしうる。
【００２２】
一方、使用者は静止画用ファイル２３に静止画と元オーディオデータを記録した後、使用者が希望する静止画に対しては別の付加オーディオデータが付加できる。この時、元オーディオデータはそのまま置いて、付加オーディオデータ用ファイル２４または静止画用ファイル２３内の別の空間に付加オーディオデータだけを集めて記録する。付加オーディオデータも静止画と同じようにグループ化して管理するが、その概念は同一である。即ち、オーディオ符号化などの同じ属性の複数の付加オーディオデータを集めて付加オーディオグループGAOBにした後、共通情報を付加オーディオグループの一般情報として記録し、各々の付加オーディオデータAOBのためには各々のサイズ情報だけを記録すればよい。付加オーディオグループの一般情報には付加オーディオグループGAOBのオーディオデータが始まる位置が含まれる。このように特定の静止画に付加された付加オーディオデータに対する連結情報（図３に太い矢印で示されている）は静止画グループ情報GVOB#１、GVOB#２、...内に存在する。即ち、静止画グループ情報に存在する付加オーディオデータを指定するための付加オーディオグループの識別情報と該付加オーディオグループ内の付加オーディオデータの識別情報が静止画グループ情報に含まれている。
【００２３】
静止画グループ内の特定の静止画の記録位置を探すためには、静止画グループの一般情報にある静止画グループデータの開始位置と探そうとする静止画に先行するデータのサイズを合わせればよいし、同じように特定の付加オーディオデータの記録位置を探すためには、付加オーディオグループの一般情報にある付加オーディオグループデータの開始位置と探そうとする付加オーディオデータに先行するデータの大きさを合わせればよい。
【００２４】
静止画グループの場合にはビデオパートと元オーディオパートが一つのファイルまたは空間に連続して記録されるので、このデータのサイズを含むビデオ情報とオーディオ情報も実際ビデオデータ、元オーディオデータが記録されたビットストリームの順番に記録される。付加オーディオグループの場合には付加オーディオデータのみあるので、付加オーディオ情報だけが実際付加オーディオデータが記録されたビットストリームの順番に記録される。
【００２５】
図３を参照すれば、元オーディオデータが付加される可能性がある静止画用ファイル２３、静止画に付加される付加オーディオデータ用ファイル２４、PGC情報２１と静止画グループ情報２２のための情報ファイルとして存在するが、この付加オーディオデータは付加オーディオデータ用ファイル２４に記録されず静止画用ファイル２３の別の領域に記録されうり、静止画用ファイル２３を第１領域、付加オーディオデータ用ファイル２４を第２領域、PGC情報２１と静止画情報２２を含む情報ファイルを第３領域と指称でき、この領域は論理的な領域になる。図４は本発明に係る記録再生装置のブロック図であって、記録及び再記録できるディスクを用いてA/Vデータを記録再生する装置の機能は大きく記録と再生に分けうる。
【００２６】
記録時、AVコデック１１０は外部から入力されるA/V信号を所定の圧縮体系により圧縮符号化し、圧縮されたデータに対するサイズ情報を提供する。DSP（Digital Signal Processor）１２０はAVコデック１１０から供給されるA/Vデータを受けてECC（Error Correction Code）処理のための付加データを付加し、所定の変調体系により変調などを遂行する。高周波増幅器（RF−AMPと表記されている）１３０はDSP１２０から供給される電気的データをRF信号に変換する。ピックアップ部１４０はディスクを駆動させ、RF−AMP１３０からのRF信号をディスクに記録し、集束及びトラッキングを行なうためのアクチュエータを内蔵している。サーボ部１５０はRF−AMP１３０とシステムコントローラ１６０からサーボ制御に必要な情報を受けて安定したサーボ制御を遂行する。使用者とのインタフェースを通じてシステムコントローラ１６０はシステム全体を制御しながらグループ単位で静止画がディスク上に記録されるように制御し、記録される静止画に対して別の情報も記録するが、記録される静止画及び元オーディオデータの記録順番に静止画データのサイズ、元オーディオデータのサイズ、元オーディオデータの再生時間などの各静止画に対する情報と各静止画グループの位置に対する情報より静止画グループ情報を構成して静止画データをグループ単位で管理する。また、静止画に付加オーディオデータを付加する場合には、付加される付加オーディオデータを別のファイルや静止画用ファイルの他の領域に記録し、記録された付加オーディオデータに対するデータのサイズ、再生時間の情報と各付加オーディオグループの位置に対する情報より付加オーディオグループ情報を構成して付加オーディオデータをグループ単位で管理し、各静止画に対する情報には付加された付加オーディオデータを示す情報を含める。この情報と共に再生順序に関した情報のセル情報を記録するが、セル情報には記録された静止画グループを示す情報を含んでいて記録された静止画及びオーディオデータが再生できるようにする。
【００２７】
再生時、ピックアップ部１４０はデータを貯蔵しているディスクから光学信号をピックアップし、この光学信号からデータが抽出される。RF−AMP１３０は光学信号を電気的信号に変換させ、サーボ制御を行なうためのサーボ信号と変調されたデータを抽出する。DSP１２０はRF−AMP１３０から供給される変調されたデータを変調時使用した変調体系に対応して復調し、ECC処理を遂行してエラーを修正し付加データを除去する。サーボ部１５０はRF−AMP１３０とシステムコントローラ１６０からサーボ制御に必要な情報を受けて安定したサーボ制御を遂行する。AVコデック１１０はDSP１２０から供給される圧縮されたA/Vデータを復号化してA/V信号を出力する。システムコントローラ１６０は使用者のキー入力を処理するなど使用者インタフェースを遂行しながら、ディスク上に記録されているセル情報及び静止画グループ情報を用いて使用者が希望するデータ（静止画だけ、静止画＋元オーディオデータまたは静止画＋付加オーディオデータ）を再生するためにシステム全体を制御する。
【００２８】
即ち、特定の静止画及びオーディオデータを再生するためにはセル情報から再生する静止画のある静止画グループ情報を得、この静止画グループ情報から静止画データのサイズ情報を得、元オーディオデータがある場合には元オーディオデータのサイズ及び再生時間に対する情報を得て希望のデータのみ再生する。また静止化に付加オーディオデータが付加されている場合には、静止画グループ情報が示す付加オーディオグループ情報で付加オーディオデータのサイズ及び再生時間情報を用いて希望の付加オーディオデータを再生する。
【００２９】
ここで、記録時のAVコデック１１０、DSP１２０、RF−AMP１３０、ピックアップ部１４０は記録処理器と指称でき、再生時のAVコデック１１０、DSP１２０、RF−AMP１３０、ピックアップ部１４０は再生処理器と指称できる。図５は本発明に係る静止画データと静止画グループ情報との関係を示す図面であって、各静止画グループ（GVOBと表記されている）情報２０１には同じ属性の複数枚（例えば、最大６４枚）の静止画に対する情報が記録されているが、各静止画グループを構成する複数枚の静止画数は最大の静止画数以内で決まる。一つの静止画グループ情報２０２は、静止画グループの一般情報と各々の静止画に対する情報とよりなり、各々の静止画に対する情報は識別情報と、記録されるビットストリーム順番にビデオパート、またはビデオパートとオーディオパートとよりなる静止画データ２０３のための情報である。静止画グループの一般情報には該静止画グループの開始アドレスが貯蔵される。
【００３０】
また、各々の静止画のための情報として元オーディオデータが存在する静止画の情報は、ビデオパートのためのビデオパート情報とオーディオパートのためのオーディオパート情報よりなるマップ情報として存在し、ビデオパートだけよりなる場合にはビデオパート情報だけよりなるマップとして存在する。この時一つの静止画に対するビデオマップ（VMAP）とオーディオマップ（AMAP）は一つの識別情報を共に有し、ここで、一つのVOBには一枚の静止画データが記録される。
【００３１】
図６は本発明に係る静止画に付加された付加オーディオデータと付加オーディオグループ情報との関係を示す図面であって、各付加オーディオグループ（GAOBと表記されている）情報２１１には複数の静止画のためのグループ単位で記録されている付加オーディオデータのための情報が記録されているし、一つの付加オーディオグループに対する付加オーディオグループ情報２１２は、該付加オーディオグループの開始アドレスが存在する付加オーディオグループの一般情報、識別情報及び付加オーディオデータの順序に従うオーディオマップよりなる。各付加オーディオマップには、静止画の付加オーディオパートよりなる付加オーディオデータ２１３のための情報が記録され、ここには付加オーディオデータのサイズが含まれる。
【００３２】
図７は再生順序の表示に関する論理的な単位であるセルに対する情報（再生情報と指称できる）、静止画グループ情報との関係を示す図面であって、セル情報は静止画グループの識別情報GVOB_ID、該静止画グループ内の静止画再生開始の識別情報START VOB_IDと静止画再生終了の識別情報END VOB_IDを含み、このセル情報は静止画グループ全体に当る場合もあり、使用者が再生を希望する静止画グループの一部が表示できる。
【００３３】
一方、付加オーディオデータは静止画データとは別の空間に貯蔵されるが、これは別のファイルに貯蔵される場合もあり、静止画データと同じファイル内の別の領域に貯蔵される場合もある。付加オーディオデータが静止画データとは別のファイルに貯蔵される場合を例として説明すれば、図５に示したように静止画データに対する情報を有しているGVOB#１、#２、#３が一つのファイルを構成し、図６に示したように付加オーディオデータに対する情報を有しているGAOB#１、#２、#３が一つのファイルを構成することであって、実際の静止画または付加オーディオデータを記録/再生しようとする場合には、各々のファイル情報を用いてアクセスする。
【００３４】
また、付加オーディオデータと静止画データを共に一つのファイルに構成する場合を例として説明すれば、図５及び図６に示したGVOB#１、#２、#３、GAOB#１、#２、#３が全て一つのファイルを構成することになる。もちろんこのように構成する方法では、記録順序に従って各々のGVOB、GAOBが混合されて、例えばGVOB#１、GVOB#２、GAOB#１、GVOB#３、GAOB#２、GAOB#３の形態で存在する場合もあり、GVOBを集めて配置しGAOBも集めて配置して一つのファイルが構成できる。
【００３５】
図８は、静止画に付加されるオーディオデータが元オーディオデータだけでなく別途領域に記録される付加オーディオグループ内の希望の付加オーディオデータが付加される場合に、セル情報、静止画グループ情報、付加オーディオグループ情報との関係を示す図面であって、セル情報は静止画グループの識別情報GVOB_ID、該静止画グループ内の静止画再生開始の識別情報START VOB_IDと静止画再生終了の識別情報END VOB_IDとを含み、静止画グループGVOB#iに対するグループ情報内のビデオパート情報には静止画に付加される付加オーディオデータを指定するための情報、即ち、付加オーディオグループの識別情報GAOB_IDと該付加オーディオグループ内の付加オーディオデータの識別情報AOB_IDが記録されうる。例えば、静止画グループGVOB#iの静止画#２のためのビデオパート情報には、付加オーディオグループ識別情報のGAOB#jと付加オーディオデータがGAOB#j内で二番目という識別情報#２が存在する。
【００３６】
図９は本発明に係る静止画グループ情報の構造を示す図面であって、この静止画グループ情報は静止画グループの一般情報と静止画マップテーブルよりなり、ピクチャーサイズ、映像符号化モードのような静止画属性情報がさらに含まれうる。図１０は図９に示した静止画グループの一般情報の詳細内容の一例を示すテーブルであって、この静止画グループの一般情報は、静止画用ファイルで静止画グループを識別するための情報としてGVOB_ID、静止画用ファイルで該静止画グループ内の最初の静止画データが始まる開始アドレスを示すGVOB_S_ADR、静止画グループ内の静止画の個数を示すGVOB_Nsを含む。
【００３７】
ここで、識別情報GVOB_IDは静止画用ファイル内で静止画グループごとに唯一のことと明示的に記録されうり、静止画グループ順序で#１、#２、...で暗示的に示しうる。図１１は図９に示した静止画マップテーブルの構造例であって、nつのマップよりなるマップは２種類があるが、一つはビデオパートのためのビデオマップVMAPであり、他の一つは静止画に存在する元オーディオパートのためのオーディオマップAMAPである。マップの順序は図５に示したように静止画用ファイルにおける記録ビットストリームのデータ順序と同一である。従って、静止画がビデオデータのみある場合はビデオマップのみあり、元オーディオデータが共にある場合はビデオマップとオーディオマップが共に記録されるが、実質的には同じ識別情報を使用する一つのマップと見なしうる。
【００３８】
図１２は、図１１に示されたビデオマップの詳細内容の一例を示すテーブルであって、該マップのタイプを示し、ビデオパートのためのビデオマップの場合、２進数で"０"のMAP_TY、このビデオパートのための識別情報VOB_IDを含み、このVOB_IDは望ましい実施例として１から６４までを示し、またVOB_IDは明示的に示されうり、記録された順番で#１、#２、#３、...に暗示的に示されうる。
【００３９】
また、ビデオマップはビデオパートのサイズを示すV_PART_SZ、付加オーディオグループの識別情報を含むが、この静止画の付加オーディオデータが存在すれば付加オーディオグループ識別情報値は存在し、存在しなければその値は"０"のGAOB_ID、この静止画の付加オーディオデータが存在すれば付加オーディオグループ内で付加オーディオデータの識別情報を示し、存在しなければその値が"０"のAOB_IDなどを含む。
【００４０】
ここで、VOB_IDとV_PART_SZは静止画位置情報と指称でき、GAOB_IDとAOB_IDは付加オーディオ連結情報と指称できる。図１３は元オーディオマップの詳細内容の一例を示すテーブルであって、該マップのタイプを示し、オーディオパートのためのオーディオマップの場合、２進数で"１"のMAP_TY、オーディオデータの再生時間を示すA_PBTM、オーディオパートのサイズを示すA_PART_SZなどを含む。
【００４１】
図１４は本発明に係る静止画付加オーディオグループ情報の構造を示す図面であって、この静止画付加オーディオグループには静止画付加オーディオデータの一般情報と静止画付加オーディオデータのマップテーブルが含まれ、静止画付加オーディオデータの属性情報がさらに含まれうる。図１５は図１４に示した静止画付加オーディオグループの一般情報の詳細内容の一例を示すテーブルであって、付加オーディオデータ用ファイルで付加オーディオグループの識別情報を示すGAOB_ID、付加オーディオデータ用ファイルで該付加オーディオグループ内の最初の付加オーディオデータが始まる開始アドレス（付加オーディオグループの位置情報と指称できる）を示すGAOB_S_ADR、付加オーディオグループ内に含まれている付加オーディオパートの個数を示すGAOB_Nsなどを含む。このGAOB_IDは明示的に示されうり、記録された順番に暗示的に示されうる。
【００４２】
図１６は、図１５に示した付加オーディオパートのためのnつの付加オーディオマップよりなる付加オーディオマップテーブルの構造の例を示す。図１７は図１６に示した付加オーディオマップの詳細内容の一例を示すテーブルであって、付加オーディオグループ内で特定の付加オーディオデータのための識別情報を示し、この値は望ましい実施例として１から６４まで示しうるAOB_ID、付加オーディオデータの再生時間を示すA_PBTM、セクター数で付加オーディオデータのサイズを示すA_PART_SZを含む。ここで、AOB_IDは明示的に記録される場合もあり、グループ内の順番に#１、#２、#３、..で暗示的に表現される場合もある。
【００４３】
図１８は図７及び図８に示した再生情報であるセル情報の詳細内容の一例を示すテーブルであって、静止画グループの識別情報を示すS_GVOB_ID、該静止画グループ内で再生開始静止画の識別情報を示すS_VOB_IDと再生終了静止画の識別情報を示すE_VOB_IDを含む。図１９及び図２０は本発明に係る静止画記録方法の一実施例に従うフローチャートであって、静止画と元オーディオデータを記録する方法を示す。まず、静止画だけ記録するかまたは静止画と同時に元オーディオデータを記録するかを設定する（S１０１段階）。静止画グループ情報を生成してグループ識別情報を割当し、静止画グループ内の静止画数を"０"と設定し、静止画用ファイル内での静止画グループの開始位置を記録する（S１０２段階）。使用者から静止画記録の開始信号が入力されるかどうかを判断して（S１０３段階）、記録開始信号が入力されれば静止画用ファイルに静止画を記録しながらビデオマップ内に記録される静止画のための識別情報を割当し、静止画グループ情報内の静止画数を一つ増加させ、ビデオマップ内に静止画サイズ情報を記録する（S１０４段階）。
【００４４】
使用者設定が静止画と共に元オーディオデータを記録するモードかをどうか判断して（S１０５段階）、使用者設定が静止画と元オーディオデータを記録するモードであれば、静止画に対するオーディオデータを静止画用ファイルに該静止画に連続して記録しながら静止画グループ情報内のオーディオマップにオーディオデータのサイズ情報を記録する（S１０６段階）。
【００４５】
記録された静止画数が一つのグループ（例えば、最大６４枚）を構成するかどうかを判断して（S１０７段階）、一つのグループ情報が構成されれば他の静止画グループ情報を生成するためにS１０２段階に進行し、そうでなければ使用者から静止画記録の開始信号が入力されるかどうかを判断するS１０３段階に進行する。
【００４６】
S１０５段階で使用者設定が静止画のみ記録するモードであればS１０６段階を経ずに次の静止画を記録するためにS１０７段階に進行し、S１０３段階で使用者から静止画記録の開始信号が入力されなければ記録を終了するかどうかを判断して（S１０８段階）、記録を終了することと判断されればセル情報を記録した後終了する（S１０９段階）。ここで、セル情報は初期値で全ての静止画グループごとに一つずつ生成されて、全ての静止画が再生されるように作られうる。図２１は本発明に係る静止画を記録した後付加オーディオデータを記録する方法のフローチャートである。まず、付加オーディオグループ情報を生成して付加オーディオグループの識別情報を割当し、付加オーディオグループ情報内のオーディオパートの数を"０"に設定し、付加オーディオファイル内のオーディオグループの開始位置情報を記録する（S２０１段階）。
【００４７】
使用者から付加オーディオデータの記録開始信号が入力されるかどうかを判断して（S２０２段階）、付加オーディオデータの記録開始信号が入力されれば使用者が付加オーディオデータの付加を希望する特定静止画を指定し（S２０３段階）、付加オーディオデータ用ファイルに付加オーディオデータを記録し、付加オーディオグループ情報のオーディオマップ内の付加オーディオデータの識別情報を割当し、付加オーディオグループ情報内の付加オーディオパートの数を一つ増加させ、オーディオマップ内の付加オーディオデータのサイズ情報を記録する（S２０４段階）。ここで、付加オーディオデータを静止画データとは別のファイルに貯蔵することと説明しているが、静止画データと同じファイル内の別の領域に貯蔵する場合もある。
【００４８】
予め指定された静止画の静止画グループの識別情報と静止画識別情報を読出して、この静止画のための情報、即ち、指定された静止画のビデオマップに付加オーディオデータの付加オーディオグループの識別情報、付加オーディオデータの識別情報を記録する（S２０５段階）。付加オーディオグループ情報内の付加オーディオパートの数がグループを構成する個数Nかどうかを判断して（S２０６段階）、一つのグループを構成すれば他の付加オーディオグループ情報を生成するためにS２０１段階に進行し、そうでなければ使用者から付加オーディオデータの記録開始信号が入力されるかどうかを判断するS２０３段階に進行する。S２０３段階で使用者から付加オーディオデータの記録開始信号が入力されなければ終了する。
【００４９】
ここで、特定静止画を指定する段階（S２０３段階）が付加オーディオデータの記録開始信号が入力されるかどうかを判断する段階（S２０２段階）の前に設定される場合もある。図２２は本発明に係る静止画の再生方法の一実施例に従うフローチャートであって、静止画とこれに付加される元オーディオデータを再生する方法を示す。
【００５０】
図２２において、まずPGC情報とセル情報を読出して（S３０１段階）、このセル情報から再生しようとする静止画グループの識別情報、再生開始の識別情報、再生終了の識別情報を読出してセルが示す静止画グループ情報を読出す（S３０２段階）。読出された静止画グループ情報内に再生開始の識別情報に当るビデオパートのためのビデオマップVMAP情報を得てビデオパートのサイズを読出し、元オーディオデータがある静止画であればビデオマップとオーディオマップ情報を得てビデオパートのサイズ及びオーディオパートのサイズ情報を読出す（S３０３段階）。
【００５１】
読出されたビデオパート情報に従って希望の静止画位置を計算し、計算された位置のビデオデータを読出し復号化して静止画を再生する（S３０４段階）。ここで、希望の静止画位置は静止画グループの開始位置と探そうとする静止画に先行するデータサイズを合せれば得られる。静止画を再生した場合には、静止画に元オーディオデータが付加されているかどうかを判断して（S３０５段階）、静止画に元オーディオデータが付加されていれば元オーディオデータを読出し復号化してオーディオデータを再生する（S３０６段階）。ここで、元オーディオデータの読出し位置は計算された静止画位置とこの静止画のビデオパートのサイズを合せれば得られる。セル情報を用いてセルに属する静止画を全て再生したかどうかをチェックした後、次に再生する静止画が残っているかどうかを判断して（S３０７段階）、再生する静止画が残っている場合には次の静止画のビデオパートのための情報を読出すS３０３段階を進行し、そうでなければ終了する。複数のセル情報がある場合にはこの過程を再び繰り返す。
【００５２】
ここで、静止画に元オーディオデータが付加されているかどうかを判断する段階（S３０５段階）が静止画グループ情報を読出す段階（S３０２段階）の直後に遂行されうるが、これは読出された静止画グループ情報によってビデオパートのためのマップに連続してオーディオパートのためのマップが付加されていれば静止画に元オーディオデータが付加されていることが判断できるからである。
【００５３】
図２３と図２４は本発明に係る静止画の再生方法の他の実施例に従うフローチャートであって、静止画または元オーディオデータが付加された静止画または付加オーディオデータが付加された静止画を再生する方法を示している。図２３において、まずPGC情報内のセル情報を読出して（S４０１段階）、再生しようとするセルが示す静止画グループ情報を読出す（S４０２段階）。
【００５４】
読出された静止画グループ情報から静止画グループの開始位置を読出し、希望の静止画位置を計算する（S４０３段階）。ここで、希望の静止画位置は静止画グループの開始位置と探そうとする静止画に先行するデータのサイズを合せれば得られる。計算された希望の静止画位置情報に従ってビデオデータを読出し復号化して静止画を再生する（S４０４段階）。
【００５５】
静止画グループ情報から付加オーディオデータが存在するかどうかをチェックして（S４０５段階）、付加オーディオデータがなければ、元オーディオデータが存在するかどうかを判断する（S４０６段階）。ここで、再生を希望する静止画に付加オーディオデータが存在するかどうかは、前記希望の静止画のビデオパートのためのマップ情報にある付加オーディオグループの識別情報と付加オーディオデータの識別情報を用いて判断でき、元オーディオデータの存在は再生を希望する静止画のマップテーブルでオーディオ情報（オーディオマップ）があるかどうかを判断して分かる。
【００５６】
S４０６段階で元オーディオデータが存在すれば元オーディオデータの読出し位置を計算する（S４０７段階）。ここで、元オーディオデータの読出し位置はS４０３段階で計算された静止画位置とこの静止画のビデオパートのサイズを合せれば得られる。計算された元オーディオデータの位置情報から元オーディオデータを読出し復号化して元オーディオデータを再生した後（S４０８段階）、図２４のS４１１段階に進行する。
【００５７】
一方、S４０５段階で付加オーディオデータが存在すれば、即ち、この静止画に指定された付加オーディオグループの識別情報と付加オーディオデータの識別情報を読出して、"０"でなければ付加オーディオグループ情報から付加オーディオグループの開始位置を読出して希望の付加オーディオデータの位置を計算する（図２４のS４０９段階）。この希望の付加オーディオデータの位置は、付加オーディオグループの開始位置とこの付加オーディオグループ内に指定された付加オーディオデータの識別情報を有する付加オーディオデータの以前に位置した付加オーディオデータのサイズを合せれば得られる。
【００５８】
計算された希望の付加オーディオデータの位置情報から付加オーディオデータを読出し復号化して付加オーディオデータを再生した後（S４１０段階）、次に再生する静止画が残っているかどうかを判断して（S４１１段階）、再生する静止画が残っていればS４０３段階に進行し、そうでなければ終了する（S４１１段階）。複数のセルを再生する場合には全体過程を反復する。
【００５９】
ここで、付加オーディオデータが存在するかどうかを判断するS４０５段階と元オーディオデータが存在するかどうかを判断するS４０６段階の代りに、S４０２段階で読出された静止画グループ情報から、現在再生される静止画がビデオパートだけよりなる静止画か、元オーディオデータが付加された静止画か、付加オーディオデータが付加された静止画かをまず判断してビデオパートだけよりなる静止画であればS４０３段階、S４０４段階を遂行し、元オーディオデータが付加された静止画であればS４０３段階、S４０４段階、S４０７段階、S４０８段階を遂行し、付加オーディオデータが付加された静止画であればS４０３段階、S４０４段階、S４０９段階、S４１０段階を遂行した後S４１１段階に進行する再生方法の他の例がさらにある場合がある。
【００６０】
また、使用者インタフェースを通じて静止画だけ再生するか、静止画と元オーディオデータを再生するかまたは静止画と付加オーディオデータを再生するかを設定して、設定されたモードに従って再生する場合もある。
【図面の簡単な説明】
【００６１】
【図１】動映像における各情報と動映像データとの連結構造を示す図面である。
【図２】本発明に係る全体情報構造の一例である。
【図３】本発明に係る静止映像における各情報と静止画データとの連結関係を示す図面である。
【図４】本発明に係る記録再生装置のブロック図である。
【図５】本発明に係る静止画データとこの静止画グループ情報との関係を示す図面である。
【図６】本発明に係る静止画データに付加された付加オーディオデータと付加オーディオグループ情報との関係を示す図面である。
【図７】セル情報と静止画グループ情報との関係を示す図面である。
【図８】セル情報、静止画グループ情報と付加オーディオグループ情報との関係を示す図面である。
【図９】本発明に係る静止画グループ情報の構造を示す図面である。
【図１０】図９に示した静止画グループの一般情報の詳細内容の一例を示すテーブルである。
【図１１】図９に示した静止画マップテーブルの構造である。
【図１２】図１１に示したマップ中ビデオマップの詳細内容の一例を示すテーブルである。
【図１３】図１２に示したビデオマップに連結される元オーディオマップの詳細内容の一例を示すテーブルである。
【図１４】本発明に係る静止画付加オーディオグループ情報の構造を示す図面である。
【図１５】図１４に示した静止画付加オーディオグループの一般情報の詳細内容の一例を示すテーブルである。
【図１６】図１４に示した静止画付加オーディオマップテーブルの構造である。
【図１７】図１６に示した静止画付加オーディオマップの詳細内容の一例を示すテーブルである。
【図１８】図７及び図８に示した静止画のためのセル情報の詳細内容の一例を示すテーブルである。
【図１９】本発明に係る静止画記録方法の一実施例に従うフローチャートである。
【図２０】図１９に続く、本発明に係る静止画記録方法の一実施例に従うフローチャートである。
【図２１】本発明に係る静止画を記録した後付加オーディオデータを記録する方法の一実施例に従うフローチャートである。
【図２２】本発明に係る静止画再生方法の一実施例に従うフローチャートである。
【図２３】本発明に係る静止画再生方法の他の実施例に従うフローチャートである。
【図２４】図２３に続く、本発明に係る静止画再生方法の他の実施例に従うフローチャートである。
【符号の説明】
【００６２】
１１  PGC情報
１２  動映像情報
１３  動映像データファイル
２１  PGC情報
２２  静止画グループ情報
２３  静止画用ファイル
２４  付加オーディオデータ用ファイル
１１０  AVコデック
１２０  DSP
１３０  高周波増幅器（RF-AMP）
１４０  ピックアップ部
１５０  サーボ部
１６０  システムコントローラ
２０１  静止画グループ情報
２０２  静止画グループ情報
２０３  静止画データ
２１１  付加オーディオグループ情報
２１２  付加オーディオグループ情報
２１３  付加オーディオデータ
【図１】
2006012415.tif 000003
【図２】
2006012415.tif 000004
【図３】
2006012415.tif 000005
【図４】
2006012415.tif 000006
【図５】
2006012415.tif 000007
【図６】
2006012415.tif 000008
【図７】
2006012415.tif 000009
【図８】
2006012415.tif 000010
【図９】
2006012415.tif 000011
【図１０】
2006012415.tif 000012
【図１１】
2006012415.tif 000013
【図１２】
2006012415.tif 000014
【図１３】
2006012415.tif 000015
【図１４】
2006012415.tif 000016
【図１５】
2006012415.tif 000017
【図１６】
2006012415.tif 000018
【図１７】
2006012415.tif 000019
【図１８】
2006012415.tif 000020
【図１９】
2006012415.tif 000021
【図２０】
2006012415.tif 000022
【図２１】
2006012415.tif 000023
【図２２】
2006012415.tif 000024
【図２３】
2006012415.tif 000025
【図２４】
2006012415.tif 000026